(57)【要約】【課題】本発明は電磁シールドするためのガスケットを備えたコネクタ装置に関し、ガスケットの脱落防止を図ることを課題とする。【解決手段】絶縁体１１とシールド部材１２と金具１３、１４とガスケット１５とを有する。ガスケット１５は、側辺部１５ｃ側の係止片１５ｋが金具１３の凹部１３ｃに引っ掛けられて、且つ、側辺部１５ｄ側の係止片１５ｍが金具１４の凹部１４ｃに引っ掛けられて取り付けてある。【選択図】　　　　図２
2004111249.tif 000002
【特許請求の範囲】
【請求項１】
電磁シールドするためのガスケットを備えたコネクタ装置において、
ガスケットはその一部に係止部を有する構成であり、
コネクタ装置はその一部に被係止部を有する構成であり、
該ガスケットがその係止部を上記被係止部に引っ掛けて取り付けてある構成としたことを特徴とするコネクタ装置。
【請求項２】
電磁シールドするためのガスケットを備えたコネクタ装置において、
ガスケットは、長方形の枠形状であり、その対向する短辺部に係止部を有する構成であり、
コネクタ装置は、絶縁体の貫通孔に金具が圧入してあり、この金具に被係止部を有する構成であり、
該ガスケットがその係止部を上記金具の被係止部に引っ掛けて取り付けてある構成としたことを特徴とするコネクタ装置。
【請求項３】
請求項２記載のコネクタ装置において、
上記金具の被係止部は、上記貫通孔の外部に位置しており、
ガスケットの係止部は、上記短辺部から突き出して、且つ、該ガスケットの面内に位置している形状であり、
上記貫通孔の外部において、ガスケットの係止部が金具の被係止部に引っ掛けてある構成としたことを特徴とするコネクタ装置。
【請求項４】
請求項２記載のコネクタ装置において、
上記金具の被係止部は、上記貫通孔の内部に位置しており、
ガスケットの係止部は、上記短辺部から折り曲げられている腕部に形成してある形状であり、
上記貫通孔の内部において、ガスケットの係止部が金具の被係止部に引っ掛けてある構成としたことを特徴とするコネクタ装置。
【発明の詳細な説明】
【０００１】
【発明の属する技術分野】
本発明はコネクタ装置に係り、特に、電磁ノイズの漏洩を防止するためのガスケットを備えたコネクタ装置に関する。
【０００２】
近年、電算機、サーバー、交換機、ルータ等の電子機器においては情報処理の速度が高速化してきており、このためにネットワーキング信号も伝送速度が高速化してきている。信号の伝送速度が高速化すると、それだけ電磁ノイズがコネクタ装置の個所から漏洩し易くなるので、コネクタ装置の部分についても電磁シールドが重要となる。そこで、一般的には、電算機等のＩＯパネルの開口窓の個所を電磁シールドするためのガスケットが設けてある。
【０００３】
【従来の技術】
図１（Ａ）は従来のコネクタ装置１の一部を拡大して且つガスケットを分解して示す。図１（Ｂ）は図１（Ａ）中、垂直の面１Ｂで断面して示す図である。Ｘ１−Ｘ２はコネクタ装置１の長手方向、Ｙ１−Ｙ２は奥行き方向、Ｚ１−Ｚ２は高さ方向である。
【０００４】
２は絶縁体、３はシールド部材、４は金具、５はガスケットである。シールド部材３は絶縁体２の一部を覆っている。金具４は絶縁体２に形成してある貫通孔２ａ内にＹ１側より強く押し込まれて固定してある。
【０００５】
ガスケット５は、長方形の枠状で、且つ、上下辺に沿って多数のバネ片５ａが形成してあり、且つ、枠の内側にバネ片部５ｂ及び迫り出し部５ｃを有する構成である。バネ片部５ｂの撓む方向はＹ１−Ｙ２方向である。このガスケット５は、金具４にガイドされつつ、Ｙ２側からＹ１方向へ移動させて取り付けられる。ガスケット５が金具４にガイドされつつＹ１方向へ移動されるときに、バネ片部５ｂはＹ２方向に撓まされる。Ｙ２方向に撓まされたバネ片部５ｂと迫り出し部５ｃとが金具４をＺ１−Ｚ２方向に弾性的に挟んでいる。
【０００６】
【発明が解決しようとする課題】
ガスケット５のコネクタ装置１への取り付けは、専ら、バネ片部５ｂと金具４の上面４ａとの間の摩擦、及び迫り出し部５ｃと金具４の下面４ｂとの間の摩擦に頼っているため、取り付けの強度が十分ではなく、コネクタ装置１の搬送中に受けた衝撃及び熱等の影響によって脱落する虞れがあった。
【０００７】
そこで、本発明は上記課題を解決したコネクタ装置を提供することを目的とする。
【０００８】
【課題を解決するための手段】
請求項１の発明は、電磁シールドするためのガスケットを備えたコネクタ装置において、
ガスケットはその一部に係止部を有する構成であり、
コネクタ装置はその一部に被係止部を有する構成であり、
該ガスケットがその係止部を上記被係止部に引っ掛けて取り付けてある構成としたことものである。
【０００９】
ガスケットの係止部がコネクタ装置の被係止部に引っ掛かっている構成は、ガスケットを摩擦で取り付けてある構成に比べて、取り付けの強度が高い。
【００１０】
請求項２の発明は、電磁シールドするためのガスケットを備えたコネクタ装置において、
ガスケットは、長方形の枠形状であり、その対向する短辺部に係止部を有する構成であり、
コネクタ装置は、絶縁体の貫通孔に金具が圧入してあり、この金具に被係止部を有する構成であり、
該ガスケットがその係止部を上記金具の被係止部に引っ掛けて取り付けてある構成としたものである。
【００１１】
絶縁体の貫通孔に圧入してある金具に被係止部を有する構成であるので、被係止部の位置を自由に定めることが可能である。
【００１２】
請求項３の発明は、請求項２記載のコネクタ装置において、
上記金具の被係止部は、上記貫通孔の外部に位置しており、
ガスケットの係止部は、上記短辺部から突き出して、且つ、該ガスケットの面内に位置している形状であり、
上記貫通孔の外部において、ガスケットの係止部が金具の被係止部に引っ掛けてある構成としたものである。
【００１３】
ガスケットの係止部が金具の被係止部に引っ掛けてある場所が貫通孔の外部であるので、係止部を被係止部に引っ掛ける作業がし易い。
【００１４】
請求項４の発明は、請求項２記載のコネクタ装置において、
上記金具の被係止部は、上記貫通孔の内部に位置しており、
ガスケットの係止部は、上記短辺部から折り曲げられている腕部に形成してある形状であり、
上記貫通孔の内部において、ガスケットの係止部が金具の被係止部に引っ掛けてある構成としたものである。
【００１５】
ガスケットの係止部が金具の被係止部に引っ掛けてある場所が貫通孔の内部でるであるので、いたずらをしようとしても係止部には届かす、係止部が被係止部から外されることがなく、取り付けの信頼性が高い。
【００１６】
【発明の実施の形態】
図２（Ａ）は本発明の第１実施例になる平衡伝送コネクタ装置１０を示す。図２（Ｂ）は図２（Ａ）中、水平の面２Ｂで断面して示す図である。図３はコネクタ装置１０の一部を拡大して示す。Ｘ１−Ｘ２はコネクタ装置１１の長手方向、Ｙ１−Ｙ２は奥行き方向、Ｚ１−Ｚ２は高さ方向である。
【００１７】
１１は絶縁体、１２はシールド部材、１３、１４は金具、１５はガスケットである。絶縁体１１は、Ｙ２側に突き出た突き出し部１１ａを有し、内部に、図７に示すように平衡伝送信号コンタクト部材１６、１７とグランドコンタクト部材（図示せず）とがＹ１−Ｙ２方向に交互に並んで組み込んである。また、絶縁体１１は、突き出し部１１ａの周囲に端面部１１ｂを有する。金属製のシールド部材１２は、絶縁体１１の突き出し部１１ａ及び端面部１１ｂを覆っている。シールド部材１２のフランジ部１２ａが端面部１１ｂを覆っている。金具１３，１４は絶縁体１１に形成してある貫通孔１１ｃ、１１ｄ内にＹ１側より強く押し込まれ圧入されて固定してあり、Ｙ１−Ｙ２方向上、突き出し部１１ａの両側に設けてあり、シールド部材１２と電気的に接続してある。
【００１８】
金具１３は、図５に示すように、Ｙ１側にＺ２方向に突き出た位置決めポスト１３ａを有し、Ｙ２側にラッチ部１３ｂを有し、Ｘ２側の面の中央部に被係止部としての凹部１３ｃを有する。金具１３が絶縁体１１に固定された状態で、凹部１３ｃの一部が絶縁体１１よりＹ２側に露出している。ラッチ部１３ｂは絶縁体１１よりＹ２側に突き出ており、位置決めポスト１３ａは絶縁体１１よりＺ２方向に突き出ている。金具１４は、図６に示すように、金具１３とＹ−Ｚ面に関して対称である形状であり、位置決めポスト１４ａ及びラッチ部１４ｂを有し、且つＸ１側の面の中央部に被係止部としての凹部１４ｃを有する。凹部１３ｃ、１４ｃに代えて、貫通孔でもよい。
【００１９】
ガスケット１５は、図４に示すように、金属薄板製であり、長方形の枠状であり、長辺であり対向する上辺部１５ａ及び下辺部１５ｂ，短辺であり対向するＸ２側の側辺部１５ｃ及びＸ１側の側辺部１５ｄを有し、且つ、上辺部１５ａに沿って並んでいる接触片部１５ｅ及び下辺部１５ｂに沿って並んでいる接触片部１５ｆを有し、且つ内側の各隅に迫り出し部１５ｇ〜１５ｊを有する。側辺部１５ｃは、その中央に、ガスケット１５の内側に突き出た係止片１５ｋを有し、側辺部１５ｄもその中央にガスケット１５の内側に突き出た係止片１５ｍを有する。
【００２０】
ガスケット１５は、図２（Ａ）、（Ｂ）及び図３に示すように、側辺部１５ｃ側については、迫り出し部１５ｇ、１５ｈによって金具１３に対する位置を決められて、係止片１５ｋが凹部１３ｃに引っ掛けられて係合して、且つ、側辺部１５ｄ側については、迫り出し部１５ｉ、１５ｊによって金具１４に対する位置を決められて、係止片１５ｍが凹部１４ｃに引っ掛けられて係合して取り付けられている。このようにガスケット１５は係止片１５ｋ、１５ｍが夫々凹部１３ｃ，１４ｃに引っ掛けられて係合して取り付けられているため、コネクタ装置１０の搬送中に強い衝撃を受けたり、熱の影響を受けたりしても脱落することは起きない。
【００２１】
なお、ガスケット１５は、コネクタ装置１０のＹ２側からラッチ部１３ｂ、１４ｂに嵌合させて位置を決めて、コネクタ装置１０に押し付けることによって取り付けられる。ここで、図４に示すように、係止片１５ｋ、１５ｍは夫々側辺部１５ｃ、１５ｄの中央に位置しており、且つ、接触片部１５ｅはＸ２方向に延びており、接触片部１５ｆはＸ１方向に延びているため、ガスケット１５には方向性は無く、図３に示す状態からＸ１側とＸ２側とを逆にした向きであっても、ガスケット１５はコネクタ装置１０に正常に取り付けられる。
【００２２】
上記のコネクタ装置１０は図７に示すように実装されて使用される。２０は電算機である。コネクタ装置１０は位置決めポスト１３ａ、１４ａによって位置決めされ且つ端子をパッドに半田付けされてプリント基板２１上に実装してある。２２はバックパネル（ＩＯパネル）であり、上記の突き出し部１１ａに対応した形状の開口窓２２ａが形成してある。バックパネル２２が取り付けられた状態で、コネクタ装置１０の突き出し部１１ａが開口窓２２ａよりＹ２側に突き出ており、バックパネル２２のうち開口窓２２ａの周囲の部分がフランジ部１２ａに押し付けられている。ガスケット１５はフランジ部１２ａとバックパネル２２との間に挟みつけられ、接触片部１５ｅ、１５ｆが弾性的に撓まされた状態でバックパネル２２に押し付けられており、電算機２０は開口窓２２ａの個所からの電磁ノイズの漏洩が防止されている。このコネクタ装置１０には、ケーブル３０の先端のコネクタ３１が接続される。コネクタ３１のコンタクト部材３２がコンタクト部材１６、１７と接続され、且つ、フック（図示せず）がラッチ部１３ｂ、１４ｂと係止される。
【００２３】
図８（Ａ）は本発明の第２実施例になる平衡伝送コネクタ装置１０Ａを示す。図８（Ｂ）は図８（Ａ）中、水平の面８Ｂで断面して示す図である。コネクタ装置１０Ａは、ガスケット１５Ａの係止片と金具の凹部との引っ掛けが絶縁体１１の貫通孔１１ｃの内部でなされる構成である。
【００２４】
ガスケット１５Ａは、図９、図１０及び図１１に示すように、前記の係止片１５ｋ、１５ｍに代えて、係止片１５Ａｋ、１５Ａｍを有する構成である。係止片１５Ａｋは、側辺部１５ｃよりＹ１方向に折り曲げてある腕部１５ＡｎのＹ１方向の端よりＸ１側に切り起こして形成してある。係止片１５Ａｍは、側辺部１５ｄよりＹ１方向に折り曲げてある腕部１５ＡｏのＹ１方向の端よりＸ２側に切り起こして形成してある。
【００２５】
金具１３Ａ、１４Ａは、図１０及び図１１に示すように、凹部１３ｃ、１４ｃに代えて、凹部１３Ａｃ、１４Ａｃが形成してある。この凹部１３Ａｃ、１４Ａｃは、凹部１３ｃ、１４ｃの位置よりＹ１方向に偏倚した位置であり、金具１３Ａ、１４Ａが絶縁体１１に取り付けられた状態で、貫通孔１１ｃ、１１ｄの内部に位置している。凹部１３Ａｃ、１４Ａｃに代えて、貫通孔でもよい。
【００２６】
ガスケット１５Ａを取り付ける操作は、ガスケット１５Ａをコネクタ装置１０のＹ２側からラッチ部１３ｂ、１４ｂに嵌合させて位置を決めて、コネクタ装置１０に押し付ける。一つの腕部１５Ａｎは貫通孔１１ｃと金具１３Ａとの間の隙間４０に挿入される。係止片１５Ａｋは、腕部１５Ａｎと同じ面となるように撓まされて隙間４０内に入り込み、凹部１３Ａｃに到ると、弾性復元して凹部１３Ａｃ内に入って凹部１３Ａｃに引っ掛る。別の腕部１５Ａｏは貫通孔１１ｄと金具１４Ａとの間の隙間４１に挿入される。係止片１５Ａｍは、腕部１５Ａｏと同じ面となるように撓まされて隙間４１内に入り込み、凹部１４Ａｃに到ると、弾性復元して凹部１４Ａｃ内に入って凹部１４Ａｃに引っ掛る。
【００２７】
ガスケット１５Ａは、貫通孔１１ｃ、１１ｄの内部において、係止片１５Ａｋ、１５Ａｍが夫々凹部１３Ａｃ、１４Ａｃに引っ掛けられてコネクタ装置１０Ａに取り付けてある。よって、コネクタ装置１０Ａの搬送中に強い衝撃を受けたり、熱の影響を受けたりしてもガスケット１５Ａが脱落することは起きない。
【００２８】
また、係止片１５Ａｋ、１５Ａｍが夫々凹部１３Ａｃ、１４Ａｃに引っ掛かっている場所は貫通孔１１ｃ、１１ｄの内部であり、外部から操作が出来ない場所であり、また、腕部１５Ａｎ、１５Ａｏは夫々隙間４０，４１内に位置しておりＸ２、Ｘ１方向へ撓ますことが不可能であるので、この点からもガスケット１５Ａは前記のコネクタ装置１０に比べてより確実に取り付けられている。
【００２９】
なお、ガスケット１５、１５Ａを上記のように引っ掛けて取り付ける構成は、平衡伝送コネクタ装置に限らす、通常のコネクタ装置にも適用可能である。
【００３０】
【発明の効果】
以上説明したように、請求項１の発明によれば、ガスケットの係止部がコネクタ装置の被係止部に引っ掛かっている構成であるため、ガスケットを摩擦で取り付けてある構成に比べて、取り付けの強度が高く、よって、コネクタ装置の搬送中に強い衝撃を受けたり、熱の影響を受けたりしてもガスケットが脱落することは起きないように出来る。
【００３１】
請求項２の発明は、絶縁体の貫通孔に圧入してある金具に被係止部を有する構成であるので、被係止部の位置を自由に定めることが可能である。
【００３２】
請求項３の発明は、ガスケットの係止部が金具の被係止部に引っ掛けてある場所が貫通孔の外部である構成であるで、係止部を被係止部に引っ掛ける作業がし易いように出来る。
【００３３】
請求項４の発明は、ガスケットの係止部が金具の被係止部に引っ掛けてある場所が貫通孔の内部である構成であるで、いたずらをしようとしても係止部には届かす、係止部が被係止部から外されることがなく、取り付けの信頼性を高く出来る。
【図面の簡単な説明】
【図１】従来のコネクタ装置を示す図である。
【図２】本発明の第１実施例になるコネクタ装置を示す図である。
【図３】図２のコネクタ装置の一部を拡大して示す図である。
【図４】ガスケットを示す図である。
【図５】ガスケットと一つの金具とを対応させて示す図である。
【図６】ガスケットと別の金具とを対応させて示す図である。
【図７】図２のコネクタ装置が使用されている状態を示す図である。
【図８】本発明の第２実施例になるコネクタ装置を示す図である。
【図９】ガスケットを示す図である。
【図１０】ガスケットと一つの金具とを対応させて示す図である。
【図１１】ガスケットと別の金具とを対応させて示す図である。
【符号の説明】
１０、１０Ａ　平衡伝送コネクタ装置
１１　絶縁体、
１２　シールド部材
１３、１４、１３Ａ、１４Ａ　金具
１３ｃ，１４ｃ、１３Ａｃ、１４Ａｃ　凹部
１５、１５Ａ　ガスケット
１５ｅ、１５ｆ　接触片部
１５ｋ、１５ｍ、１５Ａｋ、１５Ａｍ　係止片
１５Ａｎ、１５Ａｏ　腕部
【図１】
2004111249.tif 000003
【図２】
2004111249.tif 000004
【図３】
2004111249.tif 000005
【図４】
2004111249.tif 000006
【図５】
2004111249.tif 000007
【図６】
2004111249.tif 000008
【図７】
2004111249.tif 000009
【図８】
2004111249.tif 000010
【図９】
2004111249.tif 000011
【図１０】
2004111249.tif 000012
【図１１】
2004111249.tif 000013